(57)【特許請求の範囲】
【請求項１】
移動端末との無線通信を行う複数のアンテナ装置と、前記アンテナ装置を制御する複数の無線制御装置とを具備した通信システムにおける無線制御装置であって、
自装置に接続されている前記アンテナ装置を示す情報が記憶されている第１のテーブルと、
自装置に接続されている前記アンテナ装置ごとに該アンテナ装置が有する通信エリアに隣接する通信エリアを有するアンテナ装置である隣接アンテナ装置を示す情報が記憶されている第２のテーブルと、
前記隣接アンテナ装置それぞれに接続されている前記無線制御装置を示す情報が記憶されている第３のテーブルと、
前記アンテナ装置と前記無線制御装置との接続の切り替えを指示する切替指示信号を受信し、受信した切替指示信号に基づいて、前記第１のテーブル、前記第２のテーブル及び前記第３のテーブルそれぞれに記憶されている情報を更新し、前記第３のテーブルに記憶されている情報が示す前記無線制御装置から自装置を除いた無線制御装置を示す情報を新たな隣接セルリストにする隣接セルリスト更新部と
を備えていることを特徴とする無線制御装置。
【請求項２】
請求項１に記載の無線制御装置であって、
前記隣接セルリスト更新部は、
前記切替指示信号が指示する前記アンテナ装置の接続の切り替え元が自装置の場合、
接続先を切り替える前記アンテナ装置に対応する情報を前記第１のテーブルから削除し、
前記接続先を切り替える前記アンテナ装置の前記隣接アンテナ装置を示す情報を前記第２のテーブルから削除し、
前記接続先を切り替える前記アンテナ装置の前記隣接アンテナ装置に対応する前記無線制御装置を示す情報を前記第３のテーブルから削除し、
前記第３のテーブルにおいて、前記接続先を切り替えるアンテナ装置に接続されている前記無線制御装置を示す情報を、前記切替指示信号が指示する前記アンテナ装置の接続の切り替え先の前記無線制御装置を示す情報に更新する
ことを特徴とする無線制御装置。
【請求項３】
請求項１又は請求項２のいずれかに記載の無線制御装置であって、
前記隣接セルリスト更新部は、
前記切替指示信号が指示する前記アンテナ装置の接続の切り替え先が自装置の場合、
接続先を切り替える前記アンテナ装置を示す情報と、該アンテナ装置の前記隣接アンテナ装置、及び該隣接アンテナ装置に接続されている前記無線制御装置を示す情報とを含むアンテナ装置情報を受信し、受信した前記アンテナ装置情報に含まれる前記接続先を切り替えるアンテナ装置を示す情報を前記第１のテーブルに記憶させ、前記アンテナ装置情報に含まれる前記隣接アンテナ装置を示す情報を前記第２のテーブルに記憶させ、前記アンテナ装置情報に含まれる前記隣接アンテナ装置に接続されている前記無線制御装置を示す情報を前記第３のテーブルに記憶させ、
前記第３のテーブルに記憶されている情報において、前記接続先を切り替えるアンテナ装置に接続されている前記無線制御装置を示す情報を、自装置を示す情報に更新する
ことを特徴とする無線制御装置。
【請求項４】
請求項３に記載の無線制御装置であって、
前記隣接セルリスト更新部は、更に、
前記切替指示信号が指示する前記アンテナ装置の接続の切り替え元が自装置の場合、
前記切替指示信号が指示する前記アンテナ装置の接続の切り替え先の無線制御装置に、前記アンテナ装置情報を送信する
ことを特徴とする無線制御装置。
【請求項５】
請求項１から請求項４のいずれか一項に記載の無線制御装置であって、
前記隣接セルリスト更新部は、更に、
前記接続を切り替えるアンテナ装置と該アンテナ装置の接続を切り替える先の無線制御装置とを示す情報を含む隣接セルリスト更新指示信号を受信し、前記第３のテーブルに記憶されている前記隣接アンテナ装置に接続されている前記無線制御装置を示す情報において、受信した前記隣接セルリスト更新指示信号が示す接続を切り替えるアンテナ装置に接続されている前記無線制御装置を示す情報を、前記受信した隣接セルリスト更新指示信号が示す前記接続を切り替える先の無線制御装置を示す情報に更新し、
更新した前記第３のテーブルに記憶されている情報が示す前記無線制御装置から自装置を除いた無線制御装置を示す情報を前記隣接セルリストにする
ことを特徴とする無線制御装置。
【請求項６】
請求項５に記載の無線制御装置であって、
前記隣接セルリスト更新部は、更に、
前記切替指示信号が指示する前記アンテナ装置の接続の切り替え元又は切り替え先が自装置の場合、前記隣接セルリスト更新指示信号を生成し、
前記切替指示信号が指示する前記アンテナ装置の隣接アンテナ装置に接続されている前記無線制御装置のうち、前記接続を切り替えたアンテナ装置の切り替え元及び切り替え先の無線制御装置を除いた無線制御装置に、前記生成した隣接セルリスト更新指示信号を送信する
ことを特徴とする無線制御装置。
【請求項７】
移動端末との無線通信を行う複数のアンテナ装置と、前記アンテナ装置を制御する複数の無線制御装置とを具備し、前記無線制御装置は、自装置に接続されている前記アンテナ装置を示す情報が記憶されている第１のテーブルと、自装置に接続されている前記アンテナ装置ごとに該アンテナ装置が有する通信エリアに隣接する通信エリアを有するアンテナ装置である隣接アンテナ装置を示す情報が記憶されている第２のテーブルと、前記隣接アンテナ装置それぞれに接続されている前記無線制御装置を示す情報が記憶されている第３のテーブルとを備えている通信システムにおける無線制御方法であって、
前記アンテナ装置と前記無線制御装置との接続の切り替えを指示する切替指示信号を受信し、受信した切替指示信号に基づいて、前記第１のテーブル、前記第２のテーブル及び前記第３のテーブルそれぞれに記憶されている情報を更新し、前記第３のテーブルに記憶されている情報が示す前記無線制御装置から自装置を除いた無線制御装置を示す情報を新たな隣接セルリストにする隣接セルリスト更新ステップ
を有することを特徴とする無線制御方法。
【請求項８】
移動端末との無線通信を行う複数のアンテナ装置と、前記アンテナ装置を制御する複数の無線制御装置とを具備し、前記無線制御装置は、自装置に接続されている前記アンテナ装置を示す情報が記憶されている第１のテーブルと、自装置に接続されている前記アンテナ装置ごとに該アンテナ装置が有する通信エリアに隣接する通信エリアを有するアンテナ装置である隣接アンテナ装置を示す情報が記憶されている第２のテーブルと、前記隣接アンテナ装置それぞれに接続されている前記無線制御装置を示す情報が記憶されている第３のテーブルとを備えている通信システムにおける無線制御装置に設けられているコンピュータに、
前記アンテナ装置と前記無線制御装置との接続の切り替えを指示する切替指示信号を受信し、受信した切替指示信号に基づいて、前記第１のテーブル、前記第２のテーブル及び前記第３のテーブルそれぞれに記憶されている情報を更新し、前記第３のテーブルに記憶されている情報が示す前記無線制御装置から自装置を除いた無線制御装置を示す情報を新たな隣接セルリストにする隣接セルリスト更新ステップ
を実行させるためのプログラム。
【発明の詳細な説明】
【技術分野】
【０００１】
本発明は、無線制御装置、無線制御方法、及びプログラムに関する。
【背景技術】
【０００２】
第３．９世代の移動通信システムとして、３ＧＰＰ（3rd Generation Partnership Project）において標準化が進められているＬＴＥ（Long Term Evolution）などでは、基地局間における移動端末のハンドオーバをサポートするために、基地局は自局がカバーするエリアに隣接したエリアをカバーする基地局を示す情報を保持している。この隣接したエリアをカバーする基地局を示す情報である隣接セルリストは、報知チャネルなどを用いて基地局から移動端末に通知されている（非特許文献１）。
移動端末は、接続中の基地局や、隣接セルリストに含まれている基地局からの信号強度を測定し、測定結果を接続中の基地局に通知する。基地局は移動端末から受信した測定結果に基づいて、ハンドオーバの要否や、ハンドオーバ先の基地局を選択している。
【０００３】
ところで、基地局を新設した際や、撤去した際にも、適切にハンドオーバがなされるためには、隣接セルリストを実際の基地局の配置と一致させておく必要がある。一般的な移動通信システムでは、基地局の設置や撤去に応じて、移動通信システムの管理者又は運用者が隣接セルリストを手動で更新することが行われていた。しかし、移動通信システムの運用の自動化を目指し、人手を介さずに隣接セルリストを更新するＡＮＲ（Automatic Neighbor Relation）が検討されている（非特許文献１）。
ＡＮＲを用いる場合、移動端末は、基地局からの指示に基づいて、現在の位置において検出可能な基地局からの信号強度などを測定し、測定結果を基地局に送信する（Measurement Report）。基地局は、移動端末から受信した測定結果に基づき、隣接セルリストを更新することにより、実際の基地局の配置と隣接セルリストとを一致させて最新の状態に保つことが可能となる。
【０００４】
今後、益々増加する移動通信システムにおけるトラヒックを収容するために、基地局が備えている機能を、無線制御装置とアンテナ装置とに分離した上、複数の無線制御装置を同一局舎に集約する無線ネットワークアーキテクチャが検討されている（非特許文献２、３）。
この無線ネットワークアーキテクチャの特徴は、無線制御装置とアンテナ装置との接続関係を柔軟かつ動的に変更できる点である。例えば、トラヒックの時間変動や日次変動などに応じて、トラヒックの多く発生するエリアに、より多くの無線制御装置を割り当てることにより、限られた無線制御装置のリソースを効率的に利用することが可能となる。なお、無線ネットワークアーキテクチャにおいても、移動端末が適切に基地局間でハンドオーバできるように、隣接セルリストの更新が必要となる。隣接セルリストは、無線プロトコル処理を行う無線制御装置ごとに管理されており、無線制御装置がカバーするエリアに隣接するエリアをカバーする無線制御装置を示す情報を有する。
【先行技術文献】
【非特許文献】
【０００５】
【非特許文献１】3GPP TS 36.300,“Evolved Universal Terrestrial Radio Access （E-UTRA） and Evolved Universal Terrestrial Radio Access Network （E-UTRAN）; Overall description; Stage 2”
【非特許文献２】"Nokia Siemens Networks launches Liquid Radio"、[online]、平成２３年３月２１日、Nokia Siemens Networks、[平成２３年９月１６日検索]、インターネット<http://www.nokiasiemensnetworks.com/news-events/press-room/press-releases/nokia-siemens-networks-launches-liquid-radio>
【非特許文献３】"Light Radio（TM）：Evolve your wireless broadband network for the new generation of applications and users"、[online]、平成２３年７月２９日、Alcatel-Lucent、[平成２３年９月１９日検索]、インターネット<http://www.alcatel-lucent.com/features/light_radio/index.html>
【発明の概要】
【発明が解決しようとする課題】
【０００６】
非特許文献２、３などのように検討が進んでいる、基地局を無線制御装置とアンテナ装置とに分離し、複数の無線制御装置を集約する無線ネットワークアーキテクチャでは、トラヒック状況等に応じて、無線制御装置とアンテナ装置との接続関係を動的に変更する。接続関係を変更する際には、無線制御装置の隣接関係が変わるため、適切に隣接セルリストを更新する必要がある。
例えば、隣接セルリストの更新にＡＮＲを適用した場合、移動端末で基地局からの信号強度などを測定し、測定結果を無線制御装置に送信する必要がある。そのため、アンテナ装置と無線制御装置との接続を切り替えると、測定結果のトラヒック（オーバヘッド）が増加して、移動端末の利用者に提供できる帯域幅が狭くなってしまうという問題がある。
【０００７】
本発明は、上記問題を解決すべくなされたもので、その目的は、アンテナ装置と無線制御装置との接続関係を動的に変更できる無線ネットワークアーキテクチャにおいて、アンテナ装置と無線制御装置との間の接続を切り替え、隣接セルリストを更新する際に生じるオーバヘッドを低減させることができる無線制御装置、無線制御方法、及びプログラムを提供することにある。
【課題を解決するための手段】
【０００８】
上記問題を解決するために、本発明は、移動端末との無線通信を行う複数のアンテナ装置と、前記アンテナ装置を制御する複数の無線制御装置とを具備した通信システムにおける無線制御装置であって、自装置に接続されている前記アンテナ装置を示す情報が記憶されている第１のテーブルと、自装置に接続されている前記アンテナ装置ごとに該アンテナ装置が有する通信エリアに隣接する通信エリアを有するアンテナ装置である隣接アンテナ装置を示す情報が記憶されている第２のテーブルと、前記隣接アンテナ装置それぞれに接続されている前記無線制御装置を示す情報が記憶されている第３のテーブルと、前記アンテナ装置と前記無線制御装置との接続の切り替えを指示する切替指示信号を受信し、受信した切替指示信号に基づいて、前記第１のテーブル、前記第２のテーブル及び前記第３のテーブルそれぞれに記憶されている情報を更新し、前記第３のテーブルに記憶されている情報が示す前記無線制御装置から自装置を除いた無線制御装置を示す情報を新たな隣接セルリストにする隣接セルリスト更新部とを備えていることを特徴とする無線制御装置である。
【０００９】
また、本発明は、上記に記載の発明において、前記隣接セルリスト更新部は、前記切替指示信号が指示する前記アンテナ装置の接続の切り替え元が自装置の場合、接続先を切り替える前記アンテナ装置に対応する情報を前記第１のテーブルから削除し、前記接続先を切り替える前記アンテナ装置の前記隣接アンテナ装置を示す情報を前記第２のテーブルから削除し、前記接続先を切り替える前記アンテナ装置の前記隣接アンテナ装置に対応する前記無線制御装置を示す情報を前記第３のテーブルから削除し、前記第３のテーブルにおいて、前記接続先を切り替えるアンテナ装置に接続されている前記無線制御装置を示す情報を、前記切替指示信号が指示する前記アンテナ装置の接続の切り替え先の前記無線制御装置を示す情報に更新することを特徴とする。
【００１０】
また、本発明は、上記に記載の発明において、前記隣接セルリスト更新部は、前記切替指示信号が指示する前記アンテナ装置の接続の切り替え先が自装置の場合、接続先を切り替える前記アンテナ装置を示す情報と、該アンテナ装置の前記隣接アンテナ装置、及び該隣接アンテナ装置に接続されている前記無線制御装置を示す情報とを含むアンテナ装置情報を受信し、受信した前記アンテナ装置情報に含まれる前記接続先を切り替えるアンテナ装置を示す情報を前記第１のテーブルに記憶させ、前記アンテナ装置情報に含まれる前記隣接アンテナ装置を示す情報を前記第２のテーブルに記憶させ、前記アンテナ装置情報に含まれる前記隣接アンテナ装置に接続されている前記無線制御装置を示す情報を前記第３のテーブルに記憶させ、前記第３のテーブルに記憶されている情報において、前記接続先を切り替えるアンテナ装置に接続されている前記無線制御装置を示す情報を、自装置を示す情報に更新することを特徴とする。
【００１１】
また、本発明は、上記に記載の発明において、前記隣接セルリスト更新部は、更に、前記切替指示信号が指示する前記アンテナ装置の接続の切り替え元が自装置の場合、前記切替指示信号が指示する前記アンテナ装置の接続の切り替え先の無線制御装置に、前記アンテナ装置情報を送信することを特徴とする。
【００１２】
また、本発明は、上記に記載の発明において、前記隣接セルリスト更新部は、更に、前記接続を切り替えるアンテナ装置と該アンテナ装置の接続を切り替える先の無線制御装置とを示す情報を含む隣接セルリスト更新指示信号を受信し、前記第３のテーブルに記憶されている前記隣接アンテナ装置に接続されている前記無線制御装置を示す情報において、受信した前記隣接セルリスト更新指示信号が示す接続を切り替えるアンテナ装置に接続されている前記無線制御装置を示す情報を、前記受信した隣接セルリスト更新指示信号が示す前記接続を切り替える先の無線制御装置を示す情報に更新し、更新した前記第３のテーブルに記憶されている情報が示す前記無線制御装置から自装置を除いた無線制御装置を示す情報を前記隣接セルリストにすることを特徴とする。
【００１３】
また、本発明は、上記に記載の発明において、前記隣接セルリスト更新部は、更に、前記切替指示信号が指示する前記アンテナ装置の接続の切り替え元又は切り替え先が自装置の場合、前記隣接セルリスト更新指示信号を生成し、前記切替指示信号が指示する前記アンテナ装置の隣接アンテナ装置に接続されている前記無線制御装置のうち、前記接続を切り替えたアンテナ装置の切り替え元及び切り替え先の無線制御装置を除いた無線制御装置に、前記生成した隣接セルリスト更新指示信号を送信することを特徴とする。
【００１４】
また、本発明は、移動端末との無線通信を行う複数のアンテナ装置と、前記アンテナ装置を制御する複数の無線制御装置とを具備し、前記無線制御装置は、自装置に接続されている前記アンテナ装置を示す情報が記憶されている第１のテーブルと、自装置に接続されている前記アンテナ装置ごとに該アンテナ装置が有する通信エリアに隣接する通信エリアを有するアンテナ装置である隣接アンテナ装置を示す情報が記憶されている第２のテーブルと、前記隣接アンテナ装置それぞれに接続されている前記無線制御装置を示す情報が記憶されている第３のテーブルとを備えている通信システムにおける無線制御方法であって、前記アンテナ装置と前記無線制御装置との接続の切り替えを指示する切替指示信号を受信し、受信した切替指示信号に基づいて、前記第１のテーブル、前記第２のテーブル及び前記第３のテーブルそれぞれに記憶されている情報を更新し、前記第３のテーブルに記憶されている情報が示す前記無線制御装置から自装置を除いた無線制御装置を示す情報を新たな隣接セルリストにする隣接セルリスト更新ステップを有することを特徴とする無線制御方法である。
【００１５】
また、本発明は、移動端末との無線通信を行う複数のアンテナ装置と、前記アンテナ装置を制御する複数の無線制御装置とを具備し、前記無線制御装置は、自装置に接続されている前記アンテナ装置を示す情報が記憶されている第１のテーブルと、自装置に接続されている前記アンテナ装置ごとに該アンテナ装置が有する通信エリアに隣接する通信エリアを有するアンテナ装置である隣接アンテナ装置を示す情報が記憶されている第２のテーブルと、前記隣接アンテナ装置それぞれに接続されている前記無線制御装置を示す情報が記憶されている第３のテーブルとを備えている通信システムにおける無線制御装置に設けられているコンピュータに、前記アンテナ装置と前記無線制御装置との接続の切り替えを指示する切替指示信号を受信し、受信した切替指示信号に基づいて、前記第１のテーブル、前記第２のテーブル及び前記第３のテーブルそれぞれに記憶されている情報を更新し、前記第３のテーブルに記憶されている情報が示す前記無線制御装置から自装置を除いた無線制御装置を示す情報を新たな隣接セルリストにする隣接セルリスト更新ステップを実行させるためのプログラムである。
【発明の効果】
【００１６】
この発明によれば、無線制御装置は、切替指示信号と、自装置に備えられている第１から第３のテーブルに記憶されている情報に基づいて、アンテナ装置の接続を切り替えた後の接続関係に対応した隣接セルリストに更新することができる。これにより、アンテナ装置と無線制御装置との接続を切り替えた後に移動端末において測定した信号強度などを無線制御装置に送信する必要がなくなり、アンテナ装置と無線制御装置との間の接続を切り替え、隣接セルリストを更新する際に生じるオーバヘッドを低減させることができる。
【図面の簡単な説明】
【００１７】
【図１】第１実施形態における移動通信システム１００の構成を示す概略図である。
【図２】本実施形態における無線管理装置１と無線制御装置２との構成を示す概略ブロック図である。
【図３】本実施形態におけるＲＲＨテーブル２１に記憶されている接続ＲＲＨ情報及び隣接ＲＲＨ情報の一例を示す図である。
【図４】図１に示した移動通信システム１００におけるアンテナ装置３ｃの接続先を変更した図である。
【図５】本実施形態における隣接セルリストを更新する処理例を示すシーケンス図である。
【図６】本実施形態における切り替え元の無線制御装置２の隣接セルリストを更新する処理を示す図である。
【図７】本実施形態における切り替え先の無線制御装置２の隣接セルリストを更新する処理を示す図である。
【図８】本実施形態における隣接セルリストの更新が必要となる無線制御装置２の隣接セルリストを更新する処理を示す図である。
【図９】本実施形態においてアンテナ装置３ｃの接続先を無線制御装置２Ｃから無線制御装置２Ｂに切り替えた後の各無線制御装置２Ａ〜２ＥのＲＲＨテーブル２１を示す図である。
【図１０】第２実施形態における無線管理装置５と無線制御装置２との構成を示す概略ブロック図である。
【図１１】本実施形態におけるＲＣＵテーブル５２に記憶されている接続ＲＲＨ情報及び隣接ＲＲＨ情報との一例を示す図である。
【図１２】本実施形態における隣接セルリストを更新する処理例を示すシーケンス図である。
【図１３】本実施形態においてアンテナ装置３ｃの接続先を無線制御装置２Ｃから無線制御装置２Ｂに切り替えた後のＲＣＵテーブル５２を示す図である。
【図１４】第３実施形態における無線管理装置７と無線制御装置８との構成を示す概略ブロック図である。
【図１５】本実施形態における隣接セルリストを更新する処理例を示すシーケンス図である。
【発明を実施するための形態】
【００１８】
以下、図面を参照して、本発明の実施形態における無線制御装置、無線制御方法、及びプログラムを説明する。
【００１９】
（第１実施形態）
図１は、第１実施形態における移動通信システム１００の構成を示す概略図である。同図に示されるように、移動通信システム１００は、無線管理装置（Radio Management Unit；ＲＭＵ）１と、無線管理装置１に接続された複数の無線制御装置（Radio Control Unit；ＲＣＵ）２Ａ〜２Ｅと、無線制御装置２Ａ〜２Ｅに接続された複数のアンテナ装置（Remote Radio Head；ＲＲＨ）３ａ〜３ｈと、無線管理装置１をパケット・コア１０３に接続するパケットゲートウェイ１０２とを具備している。各無線制御装置２Ａ〜２Ｅは同じ構成を有しており、以下、無線制御装置２Ａ〜２Ｅのいずれか又は全体を示す場合に無線制御装置２という。また、アンテナ装置３ａ〜３ｈは同じ構成を有しており、以下、アンテナ装置３ａ〜３ｈのいずれか又は全体を示す場合にアンテナ装置３という。
【００２０】
無線管理装置１は、無線制御装置２とアンテナ装置３との接続関係を制御し、無線制御装置２それぞれに接続する移動端末（不図示）の数や、各無線制御装置２に要求されるトラヒックなどに応じて、無線制御装置２と接続するアンテナ装置３との接続関係を決定する。また、無線管理装置１は、決定した接続関係に基づいて、アンテナ装置３との接続を切り替えさせる切替指示信号を無線制御装置２に送信する。
【００２１】
無線制御装置２は、無線管理装置１及びパケットゲートウェイ１０２を介してパケット・コア１０３に接続されている。また、無線制御装置２は、無線基地局における呼制御や無線リソースのスケジューリングなどの処理を行い、上りリンク及び下りリンクのベースバンド処理を行う。また、無線制御装置２は、それぞれに異なるアンテナ装置３が接続され、接続されているアンテナ装置３から上りリンクの信号を受信し、接続されているアンテナ装置３に下りリンクの信号を送信する。
また、無線制御装置２には、複数のアンテナ装置３を接続することが可能であり、複数のアンテナ装置３が接続されている場合、分散アンテナ技術と同様に、接続されている複数のアンテナ装置３から同一のデータを含む信号を送信する。また、無線制御装置２は、接続されているアンテナ装置３が移動端末と通信可能なエリア（通信エリア）でセルを形成する。複数のアンテナ装置３が接続されている場合、各アンテナ装置３の通信エリアをまとめて１つのセルが形成される。
【００２２】
また、無線制御装置２は、無線管理装置１から切替指示信号が入力されると、備えている隣接セルリストを更新する。また、無線制御装置２は、隣接セルリストの更新が必要な他の無線制御装置２にＲＲＨ情報を送信する。ここで、隣接セルリストとは、無線制御装置２それぞれが有しており、自装置が形成するセルに隣接するセルを形成している他の無線制御装置２を示すリストである。また、ＲＲＨ情報とは、アンテナ装置３との接続の切り替えに応じて変更が生じるアンテナ装置３に関する情報である。
【００２３】
アンテナ装置３は、無線基地局におけるアンテナ素子を有し、無線通信機能を独立させた無線通信ユニットであり、移動端末との無線通信を行う。また、アンテナ装置３は、光ファイバ回線などを用いて無線制御装置２と接続されている。
【００２４】
図１に示す例では、アンテナ装置３ａはアンテナ装置３ｂ、３ｅと隣接して配置され、アンテナ装置３ｂはアンテナ装置３ａ、３ｃ、３ｆと隣接して配置され、アンテナ装置３ｃはアンテナ装置３ｂ、３ｄ、３ｇと隣接して配置され、アンテナ装置３ｄはアンテナ装置３ｃ、３ｈと隣接して配置されている。
また、アンテナ装置３ｅはアンテナ装置３ａ、３ｆと隣接して配置され、アンテナ装置３ｆはアンテナ装置３ｂ、３ｅ、３ｇと隣接して配置され、アンテナ装置３ｇはアンテナ装置３ｃ、３ｆ、３ｈと隣接して配置され、アンテナ装置３ｈはアンテナ装置３ｄ、３ｇと隣接して配置されている。
無線制御装置２Ａにはアンテナ装置３ａ、３ｅが接続されている。無線制御装置２Ｂにはアンテナ装置３ｂ、３ｆが接続されている。無線制御装置２Ｃにはアンテナ装置３ｃ、３ｇが接続されている。無線制御装置２Ｄにはアンテナ装置３ｄが接続されている。無線制御装置２Ｅにはアンテナ装置３ｈが接続されている。
【００２５】
無線管理装置１と無線制御装置２とは、例えば集約センター１０１にまとめて設置される。アンテナ装置３は、集約センター１０１から離れた位置に設置される。
パケットゲートウェイ１０２は、集約センター１０１に設置されている無線管理装置１と、パケット・コア１０３とを接続し、無線管理装置１とパケット・コア１０３との間における信号の送受信を行い、信号を中継する。
パケット・コア１０３は、他の移動通信システムや、インターネットなどの外部ネットワークに接続されたネットワークである。
【００２６】
図２は、本実施形態における無線管理装置１と無線制御装置２との構成を示す概略ブロック図である。同図に示されるように、無線管理装置１は、リソース割当部１１を備えている。リソース割当部１１は、各無線制御装置２から受信するトラヒック情報に基づいて、各無線制御装置２に接続するアンテナ装置３を決定し、決定した接続関係に応じた切替指示信号を生成する。ここで、トラヒック情報は、例えば、無線制御装置２が各アンテナ装置３を用いて送受信するデータ量を示す情報である。また、リソース割当部１１は公知の技術を用いて接続関係を決定する。
【００２７】
無線制御装置２は、ＲＲＨテーブル２１と、隣接セルテーブル２２と、通信部２３と、隣接セルリスト更新部２４とを備えている。ＲＲＨテーブル２１には、自装置に接続されているアンテナ装置３を示す接続ＲＲＨ情報ごとに、当該アンテナ装置３が有する通信エリアと隣接する通信エリアを有する他のアンテナ装置３（隣接アンテナ装置）を示す識別子（ＲＲＨ−ＩＤ）と、当該アンテナ装置３に接続されている無線制御装置２を示す識別子（ＲＣＵ−ＩＤ）とを組み合わせた隣接ＲＲＨ情報が記憶されている。
隣接セルテーブル２２には、自装置のセルに隣接するセルを形成している他の無線制御装置２を示す識別子（ＲＣＵ−ＩＤ）のリストである隣接セルリストが記憶されている。
通信部２３は、隣接セルリスト更新部２４から入力される接続指示信号により指定されるアンテナ装置３と接続し、接続したアンテナ装置３を介して移動端末と通信をする。通信部２３は、各アンテナ装置３が移動端末と送受信するトラヒック情報を無線管理装置１に送信する。また、通信部２３は、隣接セルテーブル２２に記憶されている隣接セルリストを読み出し、読み出した隣接セルリストをアンテナ装置３に送信する。アンテナ装置３において、隣接セルリストは報知チャネルなどを用いて移動端末に送信される。
隣接セルリスト更新部２４は、無線管理装置１から切替指示信号を受信し、受信した切替指示信号に応じて、ＲＲＨテーブル２１に記憶されている接続ＲＲＨ情報及び隣接ＲＲＨ情報を更新し、更新結果に応じて、隣接セルテーブル２２に記憶されている隣接セルリストを更新する。
【００２８】
図３は、本実施形態におけるＲＲＨテーブル２１に記憶されている接続ＲＲＨ情報及び隣接ＲＲＨ情報の一例を示す図である。同図に示す接続ＲＲＨ情報及び隣接ＲＲＨ情報は、図１に示した無線制御装置２とアンテナ装置３との接続関係を示している。図３（ａ）は無線制御装置２Ａに備えられているＲＲＨテーブル２１に記憶されている接続ＲＲＨ情報及び隣接ＲＲＨ情報を示している。図３（ｂ）〜図３（ｅ）は、図３（ａ）と同様に、それぞれが無線制御装置２Ｂ〜２Ｅに備えられているＲＲＨテーブル２１に記憶されている接続ＲＲＨ情報及び隣接ＲＲＨ情報を示している。ここでは、アンテナ装置３ａ〜３ｈそれぞれの識別子（ＲＲＨ−ＩＤ）を「ａ」〜「ｈ」で表し、無線制御装置２Ａ〜２Ｅそれぞれの識別子（ＲＣＵ−ＩＤ）を「Ａ」〜「Ｅ」で表している。
【００２９】
例えば、図３（ｂ）で示されている無線制御装置２Ｂに備えられているＲＲＨテーブル２１には、無線制御装置２Ｂに接続されているアンテナ装置３ｂ、３ｆを示す「ｂ」及び「ｆ」が接続ＲＲＨ情報として記憶されている。接続ＲＲＨ情報「ｂ」には、隣接ＲＲＨ情報としてＲＲＨ−ＩＤ「ａ」とＲＣＵ−ＩＤ「Ａ」との組み合わせ、ＲＲＨ−ＩＤ「ｃ」とＲＣＵ−ＩＤ「Ｃ」との組み合わせ、及び、ＲＲＨ−ＩＤ「ｆ」とＲＣＵ−ＩＤ「Ｂ」との組み合わせが対応付けられている。同様に、接続ＲＲＨ情報「ｆ」には、「ｂ−Ｂ」、「ｅ−Ａ」及び「ｇ−Ｃ」の組み合わせが対応付けられている。
【００３０】
以下、具体的な例を示して、各無線制御装置２に記憶されている隣接セルリストを更新する処理を説明する。ここでは、図４に示すように、無線制御装置２Ｃに接続されているアンテナ装置３ｃの接続先を無線制御装置２Ｂに切り替える場合における処理を例にして、無線管理装置１及び無線制御装置２の動作を説明する。すなわち、図１に示した接続関係を図４に示した接続関係に変更する場合における動作を説明する。以下、図３において示したように、無線制御装置２Ａ〜２Ｅそれぞれを識別するＲＣＵ−ＩＤを「Ａ」、「Ｂ」、「Ｃ」、「Ｄ」、「Ｅ」とし、アンテナ装置３ａ〜３ｈそれぞれを識別するＲＲＨ−ＩＤを「ａ」、「ｂ」、「ｃ」、「ｄ」、「ｅ」、「ｆ」、「ｇ」、「ｈ」として説明をする。
【００３１】
図４に示すように、アンテナ装置３ｃの接続先を無線制御装置２Ｂに切り替えることにより、無線制御装置２Ｂ、２Ｃ、２Ｄそれぞれの隣接するセルが変わる。無線制御装置２Ｂの隣接セルは、無線制御装置２Ａ、２Ｃ、２Ｄが形成するセルとなる。無線制御装置２Ｃの隣接セルは、無線制御装置２Ｂ、２Ｅが形成するセルとなる。無線制御装置２Ｄの隣接セルは、無線制御装置２Ｂ、２Ｅが形成するセルとなる。
【００３２】
図５は、本実施形態における隣接セルリストを更新する処理例を示すシーケンス図である。ここでは、無線制御装置２Ｃにおけるトラヒック量が予め定められた閾値以上となり、無線制御装置２Ｂにおけるトラヒック量が閾値以下であったため、無線制御装置２Ｃに接続されていたアンテナ装置３ｃを無線制御装置２Ｂに切り替える場合（図１に示す接続関係から図４に示す接続関係に切り替える場合）を例にして説明する。
【００３３】
同図に示されるように、各無線制御装置（ＲＣＵ）２Ａ〜２Ｅにおいて、通信部２３は、予め定められた周期ごとに定期的に、あるいは無線管理装置（ＲＭＵ）１が指定した時刻ごとに、各アンテナ装置３が移動端末と送受信するトラヒック情報を無線管理装置１に送信する（ステップＳ１）。
【００３４】
無線管理装置１において、リソース割当部１１は、各無線制御装置２から受信したトラヒック情報に基づいて、無線制御装置２とアンテナ装置３との接続の変更を決定する（ステップＳ２）。また、リソース割当部１１は、決定した接続変更に応じた切替指示信号を生成し、生成した切替指示信号を無線制御装置２Ｃと無線制御装置２Ｂとに送信する（ステップＳ３）。ステップＳ３において送信される切替指示信号は、無線制御装置２Ｃに接続されているアンテナ装置３ｃの接続先を無線制御装置２Ｂに切り替えることを示す信号である。
【００３５】
無線制御装置２Ｃにおいて、隣接セルリスト更新部２４は、受信した切替指示信号を通信部２３に出力し、通信部２３にアンテナ装置３ｃとの接続を切断させる。この後、無線制御装置２Ｂにおいて、隣接セルリスト更新部２４は、受信した切替指示信号を通信部２３に出力し、通信部２３にアンテナ装置３ｃとの接続をさせる（ステップＳ４）。このとき、無線制御装置２Ｃに備えられた通信部２３と、無線制御装置２Ｂに備えられた通信部２３とは、互いに連携を取りながら、アンテナ装置３ｃが無線制御装置２Ｂ、２Ｃの両方に同時に接続されないように、切り替えを行う。
【００３６】
アンテナ装置３ｃの切り替え元である無線制御装置２Ｃにおいて、アンテナ装置３ｃの接続の切り替えが完了すると、隣接セルリスト更新部２４は、ＲＲＨテーブル２１に記憶されている接続ＲＲＨ情報及び隣接ＲＲＨ情報を更新し、更新結果に基づいて隣接セルテーブル２２に記憶されている隣接セルリストを更新する（ステップＳ５）。
隣接セルリスト更新部２４は、接続の切り替え対象であるアンテナ装置３ｃに関するＲＲＨ情報を生成し、アンテナ装置３ｃの切り替え先である無線制御装置２Ｂに生成したＲＲＨ情報を送信する（ステップＳ６）。
【００３７】
アンテナ装置３ｃの切り替え先である無線制御装置２Ｂにおいて、隣接セルリスト更新部２４は、無線制御装置２ＣからＲＲＨ情報を受信すると、受信したＲＲＨ情報を用いてＲＲＨテーブル２１に記憶されている接続ＲＲＨ情報及び隣接ＲＲＨ情報を更新し、更新結果に基づいて、隣接セルテーブル２２に記憶されている隣接セルリストを更新する（ステップＳ７）。隣接セルリスト更新部２４は、更新後のＲＲＨテーブル２１に記憶されている隣接ＲＲＨ情報に基づいて、アンテナ装置３ｃの接続の切り替えに直接関与しないが、隣接セルリストの更新が必要となる無線制御装置２Ｄに、隣接セルリスト更新指示信号を送信する（ステップＳ８）。ステップＳ８における隣接セルリスト更新指示信号は、アンテナ装置３ｃが無線制御装置２Ｂに接続されていることを示す信号である。
【００３８】
無線制御装置２Ｄにおいて、隣接セルリスト更新部２４は、無線制御装置２Ｂから隣接セルリスト更新指示信号を受信すると、ＲＲＨテーブル２１に記憶されている隣接ＲＲＨ情報を更新し、隣接セルテーブル２２に記憶されている隣接セルリストを更新する（ステップＳ９）。
上述のステップＳ１からステップＳ９の処理により、アンテナ装置３の接続先の変更に伴う隣接セルリストの更新が行われる。
【００３９】
次に、ステップＳ５における無線制御装置２Ｃの隣接セルリストを更新する処理をより詳細に説明する。図６は、本実施形態における切り替え元の無線制御装置２の隣接セルリストを更新する処理を示す図である。
図６（ａ）は、切り替え元の無線制御装置２における隣接セルリストを更新する処理のフローチャートである。図６（ｂ）は、無線制御装置２ＣのＲＲＨテーブル２１に記憶されている接続ＲＲＨ情報及び隣接ＲＲＨ情報の更新前と更新後とを示す図である。
【００４０】
無線制御装置２Ｃにおいて、隣接セルリスト更新部２４は、ＲＲＨテーブル２１に記憶されている隣接ＲＲＨ情報から、ＲＲＨ情報を生成する。隣接セルリスト更新部２４は、接続を切り替える対象のアンテナ装置３ｃを示す接続ＲＲＨ情報「ｃ」と、ＲＲＨ−ＩＤ「ｃ」に対応する隣接ＲＲＨ情報（ｂ−Ｂ，ｄ−Ｄ，ｇ−Ｃ）とを削除する（ステップＳ１１）。
ここで、ＲＲＨ情報には、接続を切り替える対象のアンテナ装置３を示す情報（ＲＲＨ−ＩＤ）と、当該アンテナ装置３に対応する隣接ＲＲＨ情報とが含まれている。本例においては、接続を切り替えるアンテナ装置３を示す情報としてＲＲＨ−ＩＤ「ｃ」と、ＲＲＨ−ＩＤ「ｃ」に対応する隣接ＲＲＨ情報として「ｂ−Ｂ，ｄ−Ｄ，ｇ−Ｃ」とがＲＲＨ情報に含まれている。
【００４１】
隣接セルリスト更新部２４は、ＲＲＨテーブル２１に記憶されている隣接ＲＲＨ情報に、接続を切り替えるアンテナ装置３ｃが含まれている場合に、当該アンテナ装置３ｃと組み合わせられている無線制御装置２の識別子（ＲＣＵ−ＩＤ）を切り替え先の無線制御装置２Ｂの識別子に変更する。本例では、ＲＲＨ−ＩＤ「ｇ」に対応する隣接ＲＲＨ情報に、「ｃ−Ｃ」の組み合わせが含まれているので、当該組み合わせを「ｃ−Ｂ」に変更する（ステップＳ１２）。
隣接セルリスト更新部２４は、更新後のＲＲＨテーブル２１に記憶されている隣接ＲＲＨ情報に基づいて、隣接セルテーブル２２に記憶されている隣接セルリストを更新する。本例では、隣接ＲＲＨ情報に含まれる無線制御装置２のＲＣＵ−ＩＤは「Ｂ」と「Ｅ」とであるので、隣接セルリスト更新部２４は「Ｂ，Ｅ」を更新後の隣接セルリストとして隣接セルテーブル２２に記憶させる（ステップＳ１３）。
【００４２】
隣接セルリスト更新部２４は、ステップＳ１１において生成したＲＲＨ情報を、接続を切り替えるアンテナ装置３の切り替え先の無線制御装置２に送信する（ステップＳ１４）。ステップＳ１４は、図５のステップＳ６に対応する。
上述のステップＳ１１からステップＳ１３の処理により、切り替え元の無線制御装置２Ｃにおける隣接セルリストが図６（ｂ）に示されているように更新される。
【００４３】
次に、図５のステップＳ７における無線制御装置２Ｂの隣接セルリストを更新する処理をより詳細に説明する。図７は、本実施形態における切り替え先の無線制御装置２の隣接セルリストを更新する処理を示す図である。
図７（ａ）は、切り替え先の無線制御装置２における隣接セルリストを更新する処理のフローチャートである。図７（ｂ）は、無線制御装置２ＢのＲＲＨテーブル２１に記憶されている接続ＲＲＨ情報及び隣接ＲＲＨ情報の更新前と更新後とを示す図である。
【００４４】
無線制御装置２Ｂにおいて、隣接セルリスト更新部２４は、接続を切り替えるアンテナ装置３ｃの切り替え元の無線制御装置２Ｃから、ＲＲＨ情報を受信すると（ステップＳ２１）、受信したＲＲＨ情報に含まれるＲＲＨ−ＩＤ及び隣接ＲＲＨ情報を、ＲＲＨテーブル２１に記憶されている接続ＲＲＨ情報及び隣接ＲＲＨ情報に追加する（ステップＳ２２）。
隣接セルリスト更新部２４は、受信したＲＲＨ情報に含まれるＲＲＨ−ＩＤがＲＲＨテーブル２１に記憶されている隣接ＲＲＨ情報に含まれている場合、当該ＲＲＨ−ＩＤと組み合わされているＲＣＵ−ＩＤを、切り替え先の無線制御装置２を示すＲＣＵ−ＩＤに変更する。本例では、ＲＲＨ−ＩＤ「ｂ」に対応する隣接ＲＲＨ情報に含まれている「ｃ−Ｃ」を「ｃ−Ｂ」に変更する（ステップＳ２３）。
【００４５】
隣接セルリスト更新部２４は、更新後のＲＲＨテーブル２１に記憶されている隣接ＲＲＨ情報に基づいて、隣接セルテーブル２２に記憶されている隣接セルリストを更新する。本例では、隣接ＲＲＨ情報に含まれる無線制御装置２のＲＣＵ−ＩＤは「Ａ」、「Ｂ」、「Ｃ」及び「Ｄ」とであり、隣接セルリスト更新部２４は、自装置「Ｂ」を除いた「Ａ，Ｃ，Ｄ」を更新後の隣接セルリストとして隣接セルテーブル２２に記憶させる（ステップＳ２４）。
隣接セルリスト更新部２４は、切り替え対象のアンテナ装置３ｃに対応する隣接ＲＲＨ情報に含まれる無線制御装置２のうち、切り替え元の無線制御装置２と自装置とを除いた無線制御装置２に、アンテナ装置３ｃの接続先を無線制御装置２Ｂに変更したことを示す隣接セルリスト更新指示信号を送信する（ステップＳ２５）。ステップＳ２５は、図５のステップＳ８に対応する。
上述のステップＳ２１からステップＳ２４の処理により、切り替え先の無線制御装置２における隣接セルリストが図７（ｂ）に示されているように更新される。
【００４６】
次に、図５のステップＳ９における無線制御装置２Ｄの隣接セルリストを更新する処理をより詳細に説明する。図８は、本実施形態における隣接セルリストの更新が必要となる無線制御装置２の隣接セルリストを更新する処理を示す図である。
図８（ａ）は、アンテナ装置３の切り替え先、及び切り替え元以外の無線制御装置２における隣接セルリストを更新する処理のフローチャートである。図８（ｂ）は、無線制御装置２ＤのＲＲＨテーブル２１に記憶されている接続ＲＲＨ情報及び隣接ＲＲＨ情報の更新前と更新後とを示す図である。
【００４７】
無線制御装置２Ｄにおいて、隣接セルリスト更新部２４は、無線制御装置２Ｂから隣接セルリスト更新指示信号を受信すると（ステップＳ３１）、受信した隣接セルリスト更新指示信号に基づいて、ＲＲＨテーブル２１に記憶されている隣接ＲＲＨ情報を更新する。本例では、隣接セルリスト更新指示信号が示す「アンテナ装置３ｃの接続先が無線制御装置２Ｂである」ことに基づいて、隣接ＲＲＨ情報に含まれるアンテナ装置３ｃと組み合わされている無線制御装置２のＲＣＵ−ＩＤを「Ｂ」に変更する（ステップＳ３２）。
【００４８】
隣接セルリスト更新部２４は、更新後のＲＲＨテーブル２１に記憶されている隣接ＲＲＨ情報に基づいて、隣接セルテーブル２２に記憶されている隣接セルリストを更新する。本例では、隣接ＲＲＨ情報に含まれる無線制御装置２のＲＣＵ−ＩＤは「Ｂ」と「Ｅ」とであるので、隣接セルリスト更新部２４は「Ｂ，Ｅ」を更新後の隣接セルリストとして隣接セルテーブル２２に記憶させる（ステップＳ３３）。
上述のステップＳ３１からステップＳ３３の処理により、切り替え元及び切り替え先以外の無線制御装置２Ｄにおける隣接セルリストが図８（ｂ）に示されているように更新される。
【００４９】
図９は、本実施形態においてアンテナ装置３ｃの接続先を無線制御装置２Ｃから無線制御装置２Ｂに切り替えた後の各無線制御装置２Ａ〜２ＥのＲＲＨテーブル２１を示す図である。図９（ａ）は、無線制御装置２Ａに備えられているＲＲＨテーブル２１が記憶している接続ＲＲＨ情報及び隣接ＲＲＨ情報を示している。同様に、図９（ｂ）〜（ｅ）は、無線制御装置２Ｂ〜２Ｅに備えられているＲＲＨテーブル２１が記憶している接続ＲＲＨ情報及び隣接ＲＲＨ情報を示している。図９と図３とを比べると、図９（ｂ）の無線制御装置２Ｂの接続ＲＲＨ情報には「ｃ」が追加されるとともに、図９（ｂ）の隣接ＲＲＨ情報には「ｂ−Ｂ，ｄ−Ｄ，ｇ−Ｃ」が追加されている。また、図９（ｃ）の無線制御装置２Ｃの接続ＲＲＨ情報から「ｃ」が削除されるとともに、「ｂ−Ｂ，ｄ−Ｄ，ｇ−Ｃ」が削除されている。また、図９（ｄ）の無線制御装置２Ｄの隣接ＲＲＨ情報では、ＲＲＨ−ＩＤ「ｃ」と組み合わされていたＲＣＵ−ＩＤ「Ｃ」が「Ｂ」に変更されている。
【００５０】
上述のように、無線制御装置２とアンテナ装置３との接続関係を動的に変更する移動通信システム１００において、無線制御装置２は、アンテナ装置３の接続を切り替える切替指示信号を受信すると、ＲＲＨテーブル２１に記憶されている接続ＲＲＨ情報及び隣接ＲＲＨ情報に基づいて、隣接セルテーブル２２に記憶されている隣接セルリストを更新することができる。また、切替指示信号を受信した無線制御装置２は、切替指示信号を受信しない無線制御装置２のうち、アンテナ装置３の接続を切り替えることにより隣接セルリストの更新が必要な無線制御装置２に対して、隣接セルリスト更新指示信号を送信する。隣接セルリスト更新指示信号を受信した無線制御装置２は、受信した隣接セルリスト更新指示信号に基づいて、ＲＲＨテーブル２１に記憶されている隣接ＲＲＨ情報を更新するとともに、隣接セルリストを更新することができる。
これにより、無線制御装置２とアンテナ装置３との接続を変更後に、移動端末における信号強度の測定を行わずとも隣接セルリストの更新を行うことができ、アンテナ装置３と無線制御装置２との間の接続を切り替え、隣接セルリストを更新する際に生じるオーバヘッドを低減させることができる。
【００５１】
また、アンテナ装置３の接続先を切り替えた後の隣接セルリストを切り替え前に算出することができるので、接続先の切り替える直前、同時、又は切り替えた直後に、隣接セルリストの更新を行うことができるので、接続先の切り替えと隣接セルリストの更新との間のタイムラグを短くすることができる。
また、無線制御装置２は、接続するアンテナ装置３を切り替えるタイミングと、アンテナ装置３を介して自装置と通信する移動端末に更新した隣接セルリストを通知するタイミングとの差を短くすることにより、正しくハンドオーバを行うことができずに移動端末の通信が切断されてしまう可能性を低くすることができ、移動通信システム１００の安定性を向上させることができる。
【００５２】
なお、上述の実施形態において、切り替え先の無線制御装置２Ｂが隣接セルリスト更新指示信号を無線制御装置２Ｄに送信する構成について説明したが、切り替え元の無線制御装置２Ｃが隣接セルリスト更新指示信号を無線制御装置２Ｄに送信するようにしてもよい。この場合、無線制御装置２Ｂにおいて、隣接セルリスト更新部２４が、隣接ＲＲＨ情報を更新する前に、切り替え対象のアンテナ装置３ｃに対応する隣接ＲＲＨ情報に含まれるＲＣＵ−ＩＤを検出し、検出したＲＣＵ−ＩＤのうち、切り替え先、切り替え元の無線制御装置２を除いた無線制御装置２に隣接セルリスト更新指示信号を送信することになる。
【００５３】
（第２実施形態）
図１０は、第２実施形態における無線管理装置５と無線制御装置２との構成を示す概略ブロック図である。なお、本実施形態における移動通信システムは、第１実施形態における移動通信システム１００が具備する無線管理装置１に替えて無線管理装置５を具備している。また、同図において、第１実施形態における機能部と同じ機能部には同じ符号を付し、当該機能部についての説明を省略する。
【００５４】
同図に示されるように、無線管理装置５は、リソース割当部１１と、ＲＣＵテーブル５２と、ＲＣＵテーブル更新部５３とを備えている。ＲＣＵテーブル５２には、無線管理装置５に接続されている無線制御装置２ごとに、接続ＲＲＨ情報と、隣接ＲＲＨ情報とが記憶されている。ＲＣＵテーブル更新部５３は、ＲＣＵテーブル５２に記憶されている接続ＲＲＨ情報及び隣接ＲＲＨ情報を更新する。また、ＲＣＵテーブル更新部５３は、隣接セルリスト更新指示信号を生成し、生成した隣接セルリスト更新信号を無線制御装置２に送信する。
【００５５】
図１１は、本実施形態におけるＲＣＵテーブル５２に記憶されている接続ＲＲＨ情報及び隣接ＲＲＨ情報との一例を示す図である。同図に示されている例は、図１における無線制御装置２とアンテナ装置３との接続関係を示している。ＲＣＵテーブル５２には、無線制御装置２を示す情報（ＲＣＵ−ＩＤ）ごとに、接続ＲＲＨ情報、及び隣接ＲＲＨ情報が記憶されている。例えば、無線制御装置２Ｂを示す「Ｂ」に、無線制御装置２Ｂに接続されているアンテナ装置３ｂ、３ｆを示す「ｂ」及び「ｆ」と、アンテナ装置３ｂに対する隣接ＲＲＨ情報「ａ−Ａ，ｃ−Ｃ，ｆ−Ｂ」及びアンテナ装置３ｆに対する隣接ＲＲＨ情報「ｂ−Ｂ，ｅ−Ａ，ｇ−Ｃ」とが対応付けられている。
【００５６】
以下、具体的な例を示して、各無線制御装置２に記憶されている隣接セルリストを更新する処理を説明する。図４は、図１に示した移動通信システム１００におけるアンテナ装置３ｃの接続先を変更した図である。ここでは、図４に示すように、無線制御装置２Ｃに接続されているアンテナ装置３ｃの接続先を無線制御装置２Ｂに切り替える場合における処理を例にして、無線管理装置５及び無線制御装置２の動作を説明する。すなわち、図１に示した接続関係を図４に示した接続関係に変更する場合における動作を説明する。
図１２は、本実施形態における隣接セルリストを更新する処理例を示すシーケンス図である。ここでは、第１実施形態における図５に示した例と同様に、無線制御装置２Ｃにおけるトラヒック量が予め定められた閾値以上となり、無線制御装置２Ｂにおけるトラヒック量が閾値以下であったため、無線制御装置２Ｃに接続されていたアンテナ装置３ｃを無線制御装置２Ｂに切り替える場合（図１に示す接続関係から図４に示す接続関係に切り替える場合）を例にして説明する。
【００５７】
同図に示されるように、各無線制御装置（ＲＣＵ）２Ａ〜２Ｅにおいて、通信部２３は、予め定められた周期ごとに定期的に、あるいは無線管理装置（ＲＭＵ）５が指定した時刻ごとに、各アンテナ装置３が移動端末と送受信するトラヒック情報を無線管理装置１に送信する（ステップＳ２０１）。
【００５８】
無線管理装置５において、リソース割当部１１は、各無線制御装置２から受信したトラヒック情報に基づいて、無線制御装置２とアンテナ装置３との接続の変更を決定する（ステップＳ２０２）。また、リソース割当部１１は、決定した接続変更に応じた切替指示信号を生成し、生成した切替指示信号を無線制御装置２Ｃと無線制御装置２Ｂとに送信する（ステップＳ２０３）。ステップＳ２０３において送信される切替指示信号は、無線制御装置２Ｃに接続されているアンテナ装置３ｃの接続先を無線制御装置２Ｂに切り替えることを示す信号である。
【００５９】
無線制御装置２Ｃにおいて、隣接セルリスト更新部２４は、受信した切替指示信号を通信部２３に出力し、通信部２３にアンテナ装置３ｃとの接続を切断させる。この後、無線制御装置２Ｂにおいて、隣接セルリスト更新部２４は、受信した切替指示信号を通信部２３に出力し、通信部２３にアンテナ装置３ｃとの接続をさせる（ステップＳ２０４）。このとき、無線制御装置２Ｃに備えられた通信部２３と、無線制御装置２Ｂに備えられた通信部２３とは、互いに連携を取りながら、アンテナ装置３ｃが無線制御装置２Ｂ、２Ｃの両方に同時に接続されないように、切り替えを行う。
【００６０】
アンテナ装置３ｃの切り替え元である無線制御装置２Ｃにおいて、アンテナ装置３ｃの接続の切り替えが完了すると、隣接セルリスト更新部２４は、ＲＲＨテーブル２１に記憶されている接続ＲＲＨ情報及び隣接ＲＲＨ情報を更新し、更新結果に基づいて隣接セルテーブル２２に記憶されている隣接セルリストを更新する（ステップＳ２０５）。
隣接セルリスト更新部２４は、接続の切り替え対象である無線制御装置２Ｃに対するＲＲＨ情報を生成し、アンテナ装置３ｃの切り替え先である無線制御装置２Ｂに生成したＲＲＨ情報を送信する（ステップＳ２０６）。
【００６１】
アンテナ装置３ｃの切り替え先である無線制御装置２Ｂにおいて、隣接セルリスト更新部２４は、無線制御装置２ＣからＲＲＨ情報を受信すると、受信したＲＲＨ情報を用いてＲＲＨテーブル２１に記憶されている接続ＲＲＨ情報及び隣接ＲＲＨ情報を更新し、更新結果に基づいて、隣接セルテーブル２２に記憶されている隣接セルリストを更新する（ステップＳ２０７）。
【００６２】
無線管理装置５において、ＲＣＵテーブル更新部５３は、ステップＳ２０３において生成した切替指示信号に基づいて、ＲＣＵテーブル５２に記憶されている接続ＲＲＨ情報及び隣接ＲＲＨ情報を更新する。
具体的には、ＲＣＵテーブル更新部５３は、ＲＣＵテーブル５２において、切り替え対象のアンテナ装置３ｃを示すＲＲＨ−ＩＤ「ｃ」及び隣接ＲＲＨ情報「ｂ−Ｂ、ｄ−Ｄ，ｇ−Ｃ」と、無線制御装置２Ｃ（切り替え元の無線制御装置２Ｃ）を示すＲＣＵ−ＩＤ「Ｃ」との対応を削除する。また、ＲＣＵテーブル更新部５３は、ＲＣＵテーブル５２において、切り替え対象のアンテナ装置３ｃを示すＲＲＨ−ＩＤ「ｃ」及び隣接ＲＲＨ情報「ｂ−Ｂ、ｄ−Ｄ，ｇ−Ｃ」を、アンテナ装置３ｃの切り替え先の無線制御装置２Ｂを示すＲＣＵ−ＩＤ「Ｂ」に対応付ける。更に、ＲＣＵテーブル更新部５３は、ＲＣＵテーブル５２に記憶されている隣接ＲＲＨ情報のうち、切り替え対象のアンテナ装置３ｃと組み合わされているＲＣＵ−ＩＤ「Ｃ」を、切り替え先の無線制御装置２Ｂを示すＲＣＵ−ＩＤ「Ｂ」に変更する。
なお、ＲＣＵテーブル更新部５３は、ステップＳ２０６において無線制御装置２Ｃから無線制御装置２Ｂに送信されるＲＲＨ情報を受信し、受信したＲＲＨ情報に基づいて、ＲＣＵテーブル５２に記憶されている接続ＲＲＨ情報及び隣接ＲＲＨ情報を更新するようにしてもよい。
ＲＣＵテーブル更新部５３は、アンテナ装置３ｃが無線制御装置２Ｂに接続されていることを示す隣接セルリスト変更指示信号を生成し（ステップＳ２０８）、生成した隣接セルリスト更新信号を、ＲＣＵテーブル５２に記憶されている隣接ＲＲＨ情報が変更された無線制御装置２のうち、切り替え先、及び切り替え元の無線制御装置２以外の無線制御装置２Ｄに送信する（ステップＳ２０９）。
【００６３】
無線制御装置２Ｄにおいて、隣接セルリスト更新部２４は、無線制御装置２Ｂから隣接セルリスト更新指示信号を受信すると、ＲＲＨテーブル２１に記憶されている隣接ＲＲＨ情報を更新する（ステップＳ２１０）。
上述のステップＳ２０１からステップＳ２１０の処理により、アンテナ装置３の接続先の変更に伴う隣接セルリストの更新が行われる。
なお、上述のステップＳ２０５における隣接セルリストの更新は図６に示した処理と同様に行う。また、ステップＳ２０７における隣接セルリストの更新は図７に示した処理と同様に行う。また、ステップＳ２１０における隣接セルリストの更新は図８に示した処理と同様に行う。
【００６４】
図１３は、本実施形態においてアンテナ装置３ｃの接続先を無線制御装置２Ｃから無線制御装置２Ｂに切り替えた後のＲＣＵテーブル５２を示す図である。図１３と図１１とを比べると、接続ＲＲＨ情報のＲＲＨ−ＩＤ「ｃ」が無線制御装置２ＢのＲＣＵ−ＩＤ「Ｂ」に対応付けられ、ＲＲＨ−ＩＤ「ｃ」の隣接ＲＲＨ情報がＲＣＵ−ＩＤ「Ｂ」に対応付けられている。また、ＲＲＨ−ＩＤ「ｂ」の隣接ＲＲＨ情報と、ＲＲＨ−ＩＤ「ｇ」の隣接ＲＲＨ情報と、ＲＲＨ−ＩＤ「ｄ」の隣接ＲＲＨ情報とにおいて「ｃ−Ｃ」が「ｃ−Ｂ」に変更されている。
【００６５】
上述のように、無線制御装置２とアンテナ装置３との接続関係を動的に変更する移動通信システムにおいて、無線制御装置２は、アンテナ装置３の接続を切り替える切替指示信号を受信すると、ＲＲＨテーブル２１に記憶されている接続ＲＲＨ情報及び隣接ＲＲＨ情報に基づいて、隣接セルテーブル２２に記憶されている隣接セルリストを更新することができる。また、切替指示信号を受信した無線制御装置２は接続先を切り替えるアンテナ装置３に関する情報（ＲＲＨ情報）を無線管理装置１に送信する。無線管理装置１は、ＲＲＨ情報を受信すると、切替指示信号を受信しない無線制御装置２のうち、アンテナ装置３の接続を切り替えることにより隣接セルリストの更新が必要な無線制御装置２に対して、隣接セルリスト更新指示信号を送信する。隣接セルリスト更新指示信号を受信した無線制御装置２は、受信した隣接セルリスト更新指示信号に基づいて、ＲＲＨテーブル２１に記憶されている隣接ＲＲＨ情報を更新するとともに、隣接セルリストを更新することができる。
これにより、無線制御装置２とアンテナ装置３との接続を変更後に、移動端末における信号強度の測定を行わずとも隣接セルリストの更新を行うことができ、アンテナ装置３と無線制御装置２との間の接続を切り替え、隣接セルリストを更新する際に生じるオーバヘッドを低減させることができる。
【００６６】
（第３実施形態）
図１４は、第３実施形態における無線管理装置７と無線制御装置８との構成を示す概略ブロック図である。なお、本実施形態における移動通信システムは、第１実施形態における移動通信システム１００が具備する無線管理装置１に替えて無線管理装置７を具備し、無線制御装置２に替えて無線制御装置８を具備している。また、同図において、第１実施形態又は第２実施形態における機能部と同じ機能部には同じ符号を付し、当該機能部についての説明を省略する。
【００６７】
同図に示されるように、無線管理装置７は、リソース割当部１１と、ＲＣＵテーブル５２と、ＲＣＵテーブル更新部７３とを備えている。ＲＣＵテーブル更新部７３は、リソース割当部１１が生成する切替指示信号に基づいて、ＲＣＵテーブル５２に記憶されている接続ＲＲＨ情報及び隣接ＲＲＨ情報を更新する。また、ＲＣＵテーブル更新部７３は、更新した接続ＲＲＨ情報及び隣接ＲＲＨ情報からＲＲＨ情報を生成し、生成したＲＲＨ情報と切替指示信号とを、切り替え先及び切り替え元の無線制御装置８に送信する。また、ＲＣＵテーブル更新部７３は、隣接セル更新指示信号を受信し、隣接ＲＲＨ情報を更新する。
【００６８】
無線制御装置８は、ＲＲＨテーブル２１と、隣接セルテーブル２２と、通信部２３と、隣接セルリスト更新部８４とを備えている。隣接セルリスト更新部８４は、無線管理装置７から受信する切替指示信号及びＲＲＨ情報に基づいて、ＲＲＨテーブル２１に記憶されている接続ＲＲＨ情報及び隣接ＲＲＨ情報を更新する。また、隣接セルリスト更新部８４は、他の無線制御装置８から受信する隣接セルリスト更新指示信号に基づいて、ＲＲＨテーブル２１に記憶されている隣接ＲＲＨ情報を更新する。また、隣接セルリスト更新部８４は、隣接ＲＲＨ情報の更新結果に応じて、隣接セルテーブル２２に記憶されている隣接セルリストを更新する。
【００６９】
以下、具体的な例を示して、各無線制御装置８に記憶されている隣接セルリストを更新する処理を説明する。ここでは、図４に示すように、無線制御装置８Ｃに接続されているアンテナ装置３ｃの接続先を無線制御装置８Ｂに切り替える場合における処理を例にして、無線管理装置７及び無線制御装置８の動作を説明する。すなわち、図１に示した接続関係を図４に示した接続関係に変更する場合における動作を説明する。
図１５は、本実施形態における隣接セルリストを更新する処理例を示すシーケンス図である。ここでは、第１実施形態における図５に示した例と同様に、無線制御装置８Ｃにおけるトラヒック量が予め定められた閾値以上となり、無線制御装置８Ｂにおけるトラヒック量が閾値以下であったため、無線制御装置８Ｃに接続されていたアンテナ装置３ｃを無線制御装置８Ｂに切り替える場合を例にして説明する。また、ＲＣＵテーブル５２に記憶されている接続ＲＲＨ情報及び隣接ＲＲＨ情報は、図１１に示した状態になっているものとする。
【００７０】
同図に示されるように、各無線制御装置（ＲＣＵ）８Ａ〜８Ｅにおいて、通信部２３は、予め定められた周期ごとに定期的に、あるいは無線管理装置（ＲＭＵ）１が指定した時刻ごとに、各アンテナ装置３が移動端末と送受信するトラヒック情報を無線管理装置７に送信する（ステップＳ３０１）。
無線管理装置７において、リソース割当部１１は、各無線制御装置８から受信したトラヒック情報に基づいて、アンテナ装置３ｃの接続先を無線制御装置８Ｃから無線制御装置８Ｂに切り替える接続の変更を決定する（ステップＳ３０２）。
【００７１】
ＲＣＵテーブル更新部７３は、リソース割当部１１が決定した接続変更に基づいて、ＲＣＵテーブル５２に記憶されている接続ＲＲＨ情報及び隣接ＲＲＨ情報を更新する。具体的には、ＲＣＵテーブル更新部７３は、ＲＣＵテーブル５２において、切り替え対象のアンテナ装置３ｃを示すＲＲＨ−ＩＤ「ｃ」及び隣接ＲＲＨ情報「ｂ−Ｂ、ｄ−Ｄ，ｇ−Ｃ」と、切り替え元の無線制御装置８Ｃを示すＲＣＵ−ＩＤ「Ｃ」との対応を削除する。また、ＲＣＵテーブル更新部５３は、ＲＣＵテーブル５２において、切り替え対象のアンテナ装置３ｃを示すＲＲＨ−ＩＤ「ｃ」及び隣接ＲＲＨ情報「ｂ−Ｂ、ｄ−Ｄ，ｇ−Ｃ」を、切り替え先の無線制御装置８Ｂを示すＲＣＵ−ＩＤ「Ｂ」に対応付ける。更に、ＲＣＵテーブル更新部５３は、ＲＣＵテーブル５２に記憶されている隣接ＲＲＨ情報のうち、切り替え対象のアンテナ装置３ｃと組み合わされているＲＣＵ−ＩＤを、切り替え先の無線制御装置８Ｂを示すＲＣＵ−ＩＤ「Ｂ」に変更する。
ＲＣＵテーブル更新部７３は、切り替え対象のアンテナ装置３ｃを示す情報と、アンテナ装置３ｃに対応する隣接ＲＲＨ情報とを含むＲＲＨ情報を生成し（ステップＳ３０３）、生成したＲＲＨ情報及び切替指示信号を切り替え先及び切り替え元の無線制御装置８Ｂ、８Ｃに送信する（ステップＳ３０４）。
【００７２】
無線制御装置８Ｃにおいて、隣接セルリスト更新部８４は、受信した切替指示信号を通信部２３に出力し、通信部２３にアンテナ装置３ｃとの接続を切断させる。この後、無線制御装置８Ｂにおいて、隣接セルリスト更新部８４は、受信した切替指示信号を通信部２３に出力し、通信部２３にアンテナ装置３ｃとの接続をさせる（ステップＳ３０５）。
【００７３】
無線制御装置８Ｃにおいて、アンテナ装置３ｃの接続の切り替えが完了すると、隣接セルリスト更新部８４は、ＲＲＨテーブル２１に記憶されている接続ＲＲＨ情報から、アンテナ装置３ｃを示すＲＲＨ−ＩＤ「ｃ」と、アンテナ装置３ｃに対応する接続ＲＲＨ情報とを削除して更新を行い、更新結果に基づいて隣接セルテーブル２２に記憶されている隣接セルリストを更新する。この更新により、ＲＲＨテーブル２１は図６（ｂ）に示されている状態となる。
また、無線制御装置８Ｂにおいて、アンテナ装置３ｃの接続の切り替えが完了すると、隣接セルリスト更新部８４は、ＲＲＨテーブル２１に記憶されている接続ＲＲＨ情報に、ＲＲＨ情報に含まれているＲＲＨ−ＩＤ「ｃ」を追加し、ＲＲＨテーブル２１に記憶されている隣接ＲＲＨ情報に、ＲＲＨ情報に含まれている隣接ＲＲＨ情報を追加する更新を来ない、更新結果に基づいて隣接セルテーブル２２に記憶されている隣接セルリストを更新する。この更新により、ＲＲＨテーブル２１は図７（ｂ）に示されている状態となる（ステップＳ３０６）。
【００７４】
切り替え先である無線制御装置８Ｂにおいて、隣接セルリスト更新部８４は、更新後のＲＲＨテーブル２１の記憶されている隣接ＲＲＨ情報に基づいて、アンテナ装置３ｃの接続の切り替えに直接関与しないが、隣接セルリストの更新が必要となる無線制御装置８Ｄに、隣接セルリスト更新指示信号を送信する（ステップＳ３０７）。ステップＳ３０７における隣接セルリスト更新信号は、アンテナ装置３ｃが無線制御装置８Ｂに接続されていることを示す信号である。
【００７５】
無線制御装置８Ｄにおいて、隣接セルリスト更新部８４は、無線制御装置８Ｂから隣接セルリスト更新指示信号を受信すると、ＲＲＨテーブル２１に記憶されている隣接ＲＲＨ情報を更新する（ステップＳ３０８）。なお、ステップＳ３０８における隣接セルリストの更新は図８に示した処理と同様に行う。
上述のステップＳ３０１からステップＳ３０８の処理により、アンテナ装置３の接続先の変更に伴う隣接セルリストの更新が行われる。
なお、ステップＳ３０７において、切り替え先の無線制御装置８Ｂが隣接セルリスト更新指示を無線制御装置８Ｄに送信する例を説明したが、切り替え元の無線制御装置８Ｃが隣接セルリスト更新指示信号を無線制御装置８Ｄに送信するようにしてもよい。
【００７６】
上述のように、無線制御装置８とアンテナ装置３との接続関係を動的に変更する移動通信システムにおいて、無線制御装置８は、アンテナ装置３の接続を切り替える切替指示信号及びＲＲＨ情報とを受信すると、ＲＲＨテーブル２１に記憶されている接続ＲＲＨ情報及び隣接ＲＲＨ情報を更新し、更新結果から隣接セルリストを更新することができる。また、切替指示信号を受信した無線制御装置８は、切替指示信号を受信しない無線制御装置８のうち、アンテナ装置３の接続を切り替えることにより隣接セルリストの更新が必要な無線制御装置８に対して、隣接セルリスト更新指示信号を送信する。隣接セルリスト更新指示信号を受信した無線制御装置８は、受信した隣接セルリスト更新指示信号に基づいて、ＲＲＨテーブル２１に記憶されている隣接ＲＲＨ情報を更新するとともに、隣接セルリストを更新することができる。
これにより、無線制御装置８とアンテナ装置３との接続を変更後に、移動端末における信号強度の測定を行わずとも隣接セルリストの更新を行うことができ、アンテナ装置３と無線制御装置８との間の接続を切り替え、隣接セルリストを更新する際に生じるオーバヘッドを低減させることができる。
【００７７】
なお、上述の実施形態において、ＲＲＨテーブルには、接続ＲＲＨ情報及び隣接ＲＲＨ情報が記憶されている構成について説明したが、これに限ることなく、自装置に接続されているアンテナ装置を示す情報と、自装置に接続されているアンテナ装置それぞれが有する通信エリアに隣接する通信エリアを有するアンテナ装置（隣接アンテナ装置）を示す情報と、自装置に接続されているアンテナ装置の隣接アンテナ装置それぞれに接続されている無線制御装置を示す情報とが記憶されるようにしてもよい。更に、各情報を個別のテーブル（記憶部）に記憶させるようにしてもよい。
なお、本発明における隣接アンテナ装置情報は上述の実施形態におけるＲＲＨ情報に対応する。また、本発明における通信システムは上述の実施形態における移動通信システムに対応する。
【００７８】
なお、本発明における無線管理装置１、５、７と無線制御装置２、８との機能を実現するためのプログラムをコンピュータ読み取り可能な記録媒体に記録して、この記録媒体に記録されたプログラムをコンピュータシステムに読み込ませ、実行することによりリソース割当部１１、ＲＣＵテーブル５２、ＲＣＵテーブル更新部５３、７３、ＲＲＨテーブル２１、隣接セルテーブル２２、通信部２３、隣接セルリスト更新部２４、８４が行う処理を行わせるようにしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【符号の説明】
【００８０】
１，５，７…無線管理装置
２，２Ａ，２Ｂ，２Ｃ，２Ｄ，２Ｅ，８，８Ａ，８Ｂ，８Ｃ，８Ｄ，８Ｅ…無線制御装置
３，３ａ，３ｂ、３ｃ，３ｄ，３ｅ，３ｆ，３ｇ，３ｈ…アンテナ装置
１１…リソース割当部
２１…ＲＲＨテーブル
２２…隣接セルテーブル
２３…通信部
２４，８４…隣接セルリスト更新部
５２…ＲＣＵテーブル
５３，７３…ＲＣＵテーブル更新部
１００…移動通信システム（通信システム）
１０１…集約センター
１０２…パケットゲートウェイ
１０３…パケット・コア
【図１】
0005783878.tif 000002
【図２】
0005783878.tif 000003
【図３】
0005783878.tif 000004
【図４】
0005783878.tif 000005
【図５】
0005783878.tif 000006
【図６】
0005783878.tif 000007
【図７】
0005783878.tif 000008
【図８】
0005783878.tif 000009
【図９】
0005783878.tif 000010
【図１０】
0005783878.tif 000011
【図１１】
0005783878.tif 000012
【図１２】
0005783878.tif 000013
【図１３】
0005783878.tif 000014
【図１４】
0005783878.tif 000015
【図１５】
0005783878.tif 000016